(57)【要約】  街灯上に装架され、光源の動作を制御するための制御出力を提供する、街灯のための制御モジュールを本明細書で説明する。制御モジュールは、その上にコントローラ（３９）が装架される回路基板（３８）を有し、コントローラは、遠距離通信モジュール、近距離通信モジュール、及び地理座標モジュールに接続される。この制御モジュールにより形成することができるネットワークでは、中央サーバは、遠距離通信を使用して起動時に制御モジュールと、起動後にグループコントローラと通信し、グループコントローラは、近距離通信を使用してそのグループ内の制御モジュールと通信する。局所環境において感知された変化に従って光源の正常動作を修正するために、制御モジュール内にセンサ（４１）を設けてもよい。
2017533566.tif 000002
【特許請求の範囲】
【請求項１】
光源を制御するための制御モジュールであって、
−  サーバ（４）に到達するように動作可能な遠距離通信モジュールと、
−  近距離通信モジュールと、
−  地理座標モジュールと、
−  コントローラ（３９）と、を備え、
前記制御モジュールは、前記光源の駆動装置を制御するための制御出力を提供するように、かつ前記サーバ（４）に環境情報、光源情報、及び制御モジュール情報のうちの少なくとも１つを送信するように動作可能である、制御モジュール。
【請求項２】
ニアフィールド通信モジュールを更に備えている、請求項１に記載の制御モジュール。
【請求項３】
前記ニアフィールド通信モジュールが、ＲＦＩＤ読み取り機を備えている、請求項２に記載の制御モジュール。
【請求項４】
光源ヘッド部（４８）の外側に位置することになる第１の部分及び光源ヘッド部（４８）の内側に位置することになる第２の部分を更に備えている、請求項１〜３のいずれか一項に記載の制御モジュール。
【請求項５】
前記近距離通信モジュールが、多重化能力を有し、特に同じアンテナを介した複数の周波数上での通信用に設計されている、請求項１〜４のいずれか一項に記載の制御モジュール。
【請求項６】
特に国際ネットワークプロバイダ用に、ログイン情報が工場で設けられている、請求項１〜５のいずれか一項に記載の制御モジュール。
【請求項７】
前記ログイン情報が、前記コントローラ（３９）及び前記遠距離通信モジュールのうちの少なくとも１つのメモリ内に記憶され、交換可能である、請求項６に記載の制御モジュール。
【請求項８】
電子ＳＩＭを更に備えている、請求項１〜７のいずれか一項に記載の制御モジュール。
【請求項９】
少なくとも１つのセンサ（４１）を備えている、請求項１〜８のいずれか一項に記載の制御モジュール。
【請求項１０】
前記少なくとも１つのセンサが、輝度センサを備えている、請求項９に記載の制御モジュール。
【請求項１１】
前記少なくとも１つのセンサ（４１）が、加速度センサを備えている、請求項９又は１０に記載の制御モジュール。
【請求項１２】
前記少なくとも１つのセンサ（４１）が、地震計を備えている、請求項９〜１１のいずれか一項に記載の制御モジュール。
【請求項１３】
前記光源が街灯である、請求項１〜１２のいずれか一項に記載の制御モジュール。
【請求項１４】
請求項１〜１３のいずれか一項に記載の制御モジュールを備えている光源。
【請求項１５】
光源ヘッド部（４８）を更に備え、かつ前記光源ヘッド部（４８）内又はその上に設置された光源特有のデータを記憶したデータ媒体を更に備えている、請求項１４に記載の光源。
【請求項１６】
前記データ媒体がＲＦＩＤ応答機である、請求項１５に記載の光源。
【請求項１７】
ネットワークであって、
各光源が請求項１〜１３のいずれか一項に記載の制御モジュールを備えている、多数のグループの光源を備え、
各グループ（Ａ、Ｂ）の光源が、グループコントローラ（２、２３’、２８’）として指定された制御モジュールを有し、前記グループコントローラが、前記遠距離通信モジュールを介してサーバ（４）と通信するように動作可能であり、
前記グループコントローラ以外の制御モジュール（１、２３、２８）が、それらに関連付けられたグループコントローラを介して前記サーバ（４）と間接的に通信するように動作可能であり、
前記グループコントローラ以外の制御モジュール（１、２３、２８）が、前記近距離通信モジュールを介して互いと、かつ前記グループコントローラと通信するように動作可能である、ネットワーク。
【請求項１８】
前記サーバ（４）が、ネットワークプロバイダとのインターフェース（１３）を備えており、前記インターフェースが、前記制御モジュールの遠距離通信モジュールとの通信をアクティブ化、一時停止、又は非アクティブ化するために使用される、請求項１７に記載のネットワーク。
【請求項１９】
前記グループコントローラ（２、２３’２８’）が、一意的なＩＰアドレスを有し、各グループが、個別のパーソナルエリアネットワークを形成する、請求項１７又は１８に記載のネットワーク。
【発明の詳細な説明】
【技術分野】
【０００１】
本発明は、光源（すなわち、照明器具）、特に街灯、及び光源ネットワークを制御するための制御モジュールに関する。
【背景技術】
【０００２】
技術の現状から、光源ネットワークがますますインテリジェントな制御システムを備えていることが知られている。例えば、光源ネットワークは、遠隔管理システムにより運用することができ、遠隔管理システムでは、ＰＣ上の管理コンソールに接続されるセグメントコントローラとして知られるデバイスが、いくつかの光源をそれらの制御モジュールを介して制御する。セグメントコントローラは、光源内に組み込むには大きすぎ、制御対象の光源が近距離通信モジュールを介してセグメントコントローラと通信することができるように構成されなければならない。セグメントコントローラの障害は、光源ネットワークの制御障害につながる。
【０００３】
制御対象のネットワークの全ての光源制御モジュールに、制御モジュールがそれを使用して中央サーバと通信する遠距離通信モジュール、例えばＧＳＭ（登録商標）ベースのモジュールを備え付ける方法も存在する。多数の制御モジュールがプロバイダ又は遠距離通信ネットワーク内にアクティブ状態で組み込まれるため、このネットワークが使用されると、関連する通信費用が生じる。
【０００４】
更に、特にＧＰＳをサポートする形でコントローラを光源に割り当てることは手作業で遂行しなければならないため、これらの公知のシステムのコミッショニング／起動は、高コストである。最後に、セグメントコントローラにより制御可能な光源が多数あるため、このネットワーク内のレイテンシは、比較的高い。
【発明の概要】
【発明が解決しようとする課題】
【０００５】
本明細書に記載の発明は、起動するのがより容易であり、（ネットワークの）システムの安定性の向上を保証し、更に運用するのがより廉価な、光源ネットワークを運用するための制御モジュールを作製することを目的とする。
【課題を解決するための手段】
【０００６】
この課題は、請求項１に記載の対象物、請求項１４に記載の対象物、及び請求項１７に記載の対象物により解決される。
【０００７】
本発明によれば、光源、特に街灯として設計された光源を制御するための制御モジュールは、遠距離通信モジュール、近距離通信モジュール、地理座標モジュール、コントローラ、好ましくは少なくとも１つのセンサ、及び光源のエキサイタを制御する制御出力を備えることになり、遠距離通信モジュールは、サーバに到達することができ、制御モジュールは、環境情報、光源情報、及び／又は制御モジュール情報をサーバに送信するように設計されている。
【０００８】
ここで、環境情報は、環境センサにより記録される情報として理解されるものとする。例えば、これらは、接近する対象物、例えば車両を特定又は検出するためのセンサであってもよい。しかしながら、特に、この情報は、地理座標モジュールにより記録される地理座標からなる。制御モジュールの位置を決定するために、ＧＰＳ、ＧＬＯＮＡＳＳ、Ｇａｌｉｌｅｏ、ＢｅｉＤｏｕ、又は他の特に衛星ベースの測位システムに基づくモジュールを使用してもよい。同時に、このモジュールは、必ずしも個別のユニットとして理解されるべきではない。例えば、このモジュールはまた、その上にコントローラが位置する回路基板と同じ回路基板上に位置する制御モジュールのユニットからなってもよい。制御モジュールは、例えば、個別の組立ユニットとして使用されても、又は光源の不可欠の部分として使用されてもよい。
【０００９】
地理座標及び場合によっては他の制御モジュール特有の情報又は光源特有の情報を送信することは、遠隔管理システムのサーバが、設置された制御モジュールについて詳細なイメージを作成し、次いで設置された制御モジュールを、サーバ上で決定されることになる又は予め決定された制御戦略に基づいてグループ分けすることを可能にする。
【００１０】
次いで、割り当てられたグループ内では、グループコントローラとの通信は、近距離通信モジュールを介して行われる。グループコントローラは、グループ内で唯一、遠距離通信モジュールを介してサーバとデータを交換することができるモジュールである。
遠距離通信モジュールは、異なるネットワーク技法に基づくものであってもよい。これらは、セルラーネットワーク、ＩＰネットワーク、又は長距離ピアツーピアネットワークであってもよい。
【００１１】
交換目的のため、サーバは、第１のグループコントローラに障害が発生した場合にサーバとの通信を引き継ぐ別のグループコントローラを決定することができる。グループの制御モジュールに交換用グループコントローラを事前に通知してもよく、又は障害が発生した場合に交換用グループコントローラをグループの制御モジュールに再度割り当ててもよい。
【００１２】
特に光源特有の情報を記録するために、本発明による制御モジュールが、ニアフィールド通信モジュール、特にニアフィールドセンサを備えたニアフィールド通信モジュールを備えているのが有益である。好ましくは、このモジュールは、光源により保存された情報を読み出すことができるＲＦＩＤ読み取り機を含むべきである。次いで、この情報も、グループコントローラを介してサーバに送信されることになる。このプロセスにより、制御モジュールの設置は、光源特有の情報が別途専門家により記録され、送信されなければならない場合よりも、著しく早くなる。同時に、システムも、よりフェイルセーフになる。
【００１３】
制御モジュールが主として外側に位置する場合、光源ヘッド部内に位置する情報媒体を読み出すことができるために、制御モジュールは、２つの部分からなってもよい。その場合、第１の部分は、光源ヘッド部の外側に位置することになり、第２の部分は、内側に位置することになる。制御モジュールの設計に応じて、外部部分は、単に、近距離通信及び遠距離通信のために役立つアンテナ構成部品であってもよい。あるいは、光源ハウジング内の内部構成部品は、ごく少数の制御モジュール要素、例えば上記のＲＦＩＤ読み取り機からなってもよい。
【００１４】
問題のないグループ内通信を保証するために、近距離通信モジュールは、多重化能力を有してもよく、とりわけ同じアンテナを介して通信するために異なる周波数上で通信することができてもよい。このようにして、既存の規格、例えばＺｉｇＢｅｅ（登録商標）規格で利用可能な環境スキャンを、その周波数により、制御モジュールとグループコントローラとの通常の通信から分離することができ、これにより、異なる通信状態にある隣接するグループが互いに干渉することがなくなる。
【００１５】
更に、ネットワークプロバイダ用、特に国際的に活動しているセルラーネットワークプロバイダ（ローミングアクセス）用に制御モジュールにログイン情報が工場で設けられている場合、設置要員は、本発明による制御モジュールの設置をより早く遂行することができる。これは、電圧が印加された後直ちに、もしかすると制御モジュールの最初の設置後に、情報が送信されることを可能にする。次いで、サーバは、例えば、現地のセルラーネットワーク用のログインデータを提供することができる。これは、例えば、制御モジュール上の電子ＳＩＭにファームウェアを送信することにより遂行することができる。
【００１６】
該少なくとも１つのセンサは、サーバとの連絡が途絶したフェイルセーフ状態の場合に少なくとも輝度レベルに従った光源の動作が可能であるように、好ましくは輝度センサであってもよい。しかしながら、特に地震波の検出のために、センサはまた、加速度センサ又は地震計であってもよい。センサネットワーク、及びネットワーク全体に位置するもしかすると不正確な加速度センサにより記録された振動イベントの検出は、それにもかかわらず十分に詳細な分析及び地震波の決定を可能にする。
【００１７】
本発明は、制御モジュールに多数のセンサを備え付けることを可能にする。例えば、輝度センサに加えて、振動イベントを検出するための加速度センサ、及び／又は接近する対象物、例えば車両若しくは歩行者を検出するための赤外線センサが存在してもよい。
【００１８】
地震計の場合、センサはまた、制御モジュールの残余の部分とは異なる光源内のある点に位置してもよい。例えば、センサは、街灯の足部に位置してもよい。
【００１９】
冒頭に記載の課題はまた、光源、特に街灯による上記及び下記の利点により解決され、この光源は、対応する制御モジュールを備えている。
【００２０】
好ましくは、光源特有のデータを含むＲＦＩＤ応答機が、光源特有のデータの記録のために光源ヘッド部内又はその上に設置される。光源特有のデータは、ＲＦＩＤ読み取り機を有する制御モジュールにより読み出されてもよい。またこれは、ＲＦＩＤ応答機ではなくて、好ましくは接触されることなしに読み出すことができる別のデータ媒体であってもよい。
【００２１】
上記又は下記の制御モジュールからなるネットワークは、それぞれが１つの制御モジュールを備えている多数の光源、及び１つのサーバを含み、該ネットワークは、好ましくは最大２００個、好ましくは最大５０個の光源又は光源の１つ又は複数のグループを含み、各光源又は光源は、上記又は下記の制御モジュールを備え、各グループは、そのグループコントローラとして指定され、遠距離通信モジュールを介してサーバと通信するために解放された制御モジュールを有し、一方残余の制御モジュールは、グループコントローラを介してサーバと間接的に通信し、互いと及びグループコントローラとは近距離通信モジュールを介して通信するように設計されている。
【００２２】
ネットワークの設置のために、制御モジュールは、サーバにより１つ又は複数の制御モジュールグループに分割される。この分割は、制御モジュールにより提供される環境、光源、及び／又は制御モジュールに関する情報に基づいている。
【００２３】
環境情報としては、地理座標に加えて、近距離ネットワーク内の隣接する制御モジュールに関する情報（例えば、接続品質、及び／若しくは他のＲＦ特性、及び／若しくは近隣テーブル）、並びに／又は環境特有の情報（例えば、周囲の光強度）を考慮に入れてもよい。光源に関する情報は、使用する発光体、その駆動装置に関する情報、及び／又は割り当てられた光源に関する更なる詳細、例えば現在の光強度若しくは調光であってもよい。制御モジュール情報は、ＩＰアドレス又は別のＵＩＤ（一意的識別子）等の、特に制御モジュールの明確な特定のために使用される情報である。
【００２４】
本発明によれば、サーバは、グループごとに１つの制御モジュール、又はグループが単一の場合はそのグループの１つの制御モジュールを、グループコントローラとして選択する。対応するグループの他の制御モジュールは、それらの近距離通信モジュールを使用してこのコントローラと通信する。これは、グループ内の通信には、対応する近距離通信モジュールが使用されることを意味する。グループ内において、グループの制御モジュールは、それらの対応する近距離通信モジュールを介して近距離ネットワーク、好ましくはメッシュネットワークを形成する。ネットワークの正常動作中、グループコントローラは、それ自身の環境情報、光源情報、及び／又は制御モジュール情報、並びに他の制御モジュールから受信した情報のみを遠距離通信モジュールを介してサーバに送信することができる。この目的のため、正常動作とは、ネットワークの各制御モジュールがあるグループに割り当てられ、全ての制御モジュールがそれらの実際のタスクを遂行して光源を制御する、ネットワークの通常動作として理解される。両方、上記及び下記の方法については、情報の送信は、常に特定の通信プロトコルに基づく対応するデータの送信を通じて実行される。
【００２５】
このようなネットワーク構成は、以前のネットワークシステムよりも安定した動作をもたらす。グループ内のそれぞれの制御モジュールが冗長に構成されているため、グループコントローラに障害が発生した場合、サーバは、新しいグループコントローラを容易に決定することができる。ひとたび新しいグループコントローラがグループ内で、すなわち近距離通信ネットワーク（ＰＡＮ＝パーソナルエリアネットワーク）のレベルで告知されると、グループコントローラとして定義されていない他の制御モジュールは、該グループコントローラを介して接続を確立する。これは、サーバが、システムを引き続き制御及び監視できることを意味する。同時に、グループごとに単一の制御モジュール（グループコントローラ）がアクティブであることで、全ての制御モジュールがそれぞれの遠距離モジュールを介してサーバと個別に通信するネットワークの場合よりも、費用が著しく低くなる。
【００２６】
内部グループネットワークをメッシュネットワークとして構成することは、システム及びＰＡＮレベルの通信をよりフェイルセーフにする。
【００２７】
上記又は下記においてプロセスステップを説明するために「共に（ｗｉｔｈ）」が使用される場合、これは、関係するプロセスステップが同時的であることを必ずしも意味しない。むしろ、これらのプロセスステップは、同時的であってもよい（が、そうである必要はない）。
【００２８】
特に初期コミッショニング／起動中に、好ましくは電圧が初めて印加されるときに、ネットワークが地理情報を自動的に記録する場合、ネットワークは制御モジュールがスイッチオンされた後にこのプロセスを自動的に遂行するので、ネットワークのコミッショニング／起動は更に容易になる。この地理情報は、位置データ、すなわち座標及び正確なタイムスタンプからなる。地理情報は、地理座標モジュールを用いて記録される。同時に、又はその後、遠距離通信モジュールは、ネットワークプロバイダにログインする。好ましくは、これは、通信回線のプロバイダ、例えば、電話回線及びデータ回線のプロバイダであるべきである。このログインは、ローミング条件下で行われてもよく、これは、それぞれの制御モジュールが後にどこに構成されることになるかにかかわらず、工場が常に同一のログイン情報のみを提供しなければならないことを意味する。したがって、コントローラ及び／又は遠距離通信モジュールは、制御モジュール側に一貫性あるログインデータを有する。
【００２９】
次いで、ネットワークプロバイダへのログイン後、地理情報は、制御モジュール及び／又は光源に関する情報と共にサーバに送信することができる。サーバが対応するデータベース内にデータを自動的に記憶することは、街灯を簡単に構成することを促進する。通信コストを低減するために、制御モジュールの情報が送信された後に、既存の遠距離ネットワークに特有のプロバイダアクセスデータを制御モジュールに送信してもよい。
【００３０】
特に、プロバイダアクセスデータは、電子ＳＩＭを備えた制御モジュールにファームウェアを介して提供されてもよい。この場合、新しいファームウェアは、新しい制御モジュールのコミッショニング／起動が低コストで、現地の条件下で可能になるように、コントローラ又は遠距離通信モジュールに伝送される。同時に、サーバによりファームウェアを提供することで、対応する制御モジュールの柔軟な通信及び設置を達成することができ、対応する制御モジュールに対して異なる装備が工場により備え付けられる必要はない。
【００３１】
この場合、サーバは、必ずしも個別のハードウェアを有する個別のデータ処理システムではない。サーバはまた、単に、遠隔管理プログラム内のプロジェクト特有の分離であってもよい。サーバはまた、同じハードウェア上、又はクラウド内の仮想サーバであってもよい。
問題のない動作を促進するために、プロジェクトサーバには、初期ログイン後に、コミッショニングしたデバイスについての情報がログインサーバにより提供されることが好ましい。
【００３２】
コストを下げるため、好ましくはサーバから遠距離ネットワークプロバイダ又はネットワークプロバイダへのインターフェースを使用して、遠距離通信内でアクティブな制御モジュール、一時停止されることになる制御モジュール、及び／又は非アクティブ化されることになる制御モジュールに関する情報を伝送すべきである。これは、ごく少数の制御モジュール（グループごとに１つの制御モジュール）がアクティブであることをプロバイダが保証することを意味する。他の制御モジュールは、メッシュネットワーク内の通信経路を介して、次いでグループコントローラを介してのみ、サーバと通信することができる。一時停止、とりわけ電子ＳＩＭの一時停止は、疑義がある場合、例えばグループコントローラに障害が発生した場合に、それを短時間だけアクティブ化することができることを意味する。ネットワークは、通信経路の障害を埋め合わせ、新しい通信経路を自動的に、したがって最小限の遅延で確立することが好ましい。この新しい通信は、サーバにより対応するリクエストを通じて開始されてもよく、又は制御モジュールにより時間制御されたクエリ及びプロバイダネットワークにアクセスする試みを通じて開始されてもよい。
【００３３】
次いで、サーバは、情報を他の制御モジュールに送信することができ、正常動作中これらの制御モジュールに新しいグループコントローラと通信させる。
【００３４】
新しい光源又は新しい制御モジュールが設置されるとき、及び／又はそれぞれの光源に対する保守作業後に、コミッショニング／起動の成功、例えば制御モジュールのグループネットワークへの組み込みの成功又はサーバとの連絡確立の成功を作業要員に信号伝達するために、制御モジュールは、ひとたび所望の状態に到達すると、所定の時間間隔又は決定可能な時間間隔にわたって該光源を異なる輝度レベルで動作させてもよい。
【００３５】
初期設置及び／又は再設置後に、少なくとも１つの制御モジュールが、光源を動作させるためのパラメータセットをサーバから受信することが好ましい。このセットは、例えば、調光曲線からなってもよい。
【００３６】
更に、サーバからグループコントローラに送信されたソフトウェアによりソフトウェア更新がグループの制御モジュールに提供される場合、光源ネットワークの運用は改善される。これは、例えば、新しい光源機能を可能にしてもよく、又はそれらを使用できるように公開してもよい。
【００３７】
あるいは、制御モジュールは、新しいコントローラソフトウェア、特にファームウェアを、グループコントローラを飛ばしてサーバから直接受信してもよい。しかしながら、この目的のため、それぞれの制御モジュールは、まずプロバイダにおいて再びアクティブ化されなければならない。
【００３８】
近距離ネットワークによる環境情報の検出及び正常動作目的の近距離ネットワーク内の通信（サーバとの通信）をより問題のないものにするために、近距離ネットワーク内の対応する通信が該ネットワークの異なる周波数帯域上で行われるのが有益なことがある。これ（多重動作）のために同じアンテナを使用できることが好ましい。
【００３９】
本発明の更なる利点及び詳細な特徴については、以下の図面の説明を参照されたい。これらの概略図は、下記のものを示している。
【図面の簡単な説明】
【００４０】
【図１】本発明によるネットワーク。
【図２】本発明による更なる対象物。
【図３】本発明によるプロセスの単純化された流れ図。
【図４】本発明による更なる対象物。
【図５】本発明による対象物の構成部品。
【図６】本発明による更なる対象物。
【図７】図６による、本発明による対象物の構成部品。
【発明を実施するための形態】
【００４１】
また下記の設計例の個々の技術的特徴を、上記の設計例、並びに独立請求項及び潜在的な更なる請求項の特徴と組み合わせて、本発明による対象物を形成することもできる。それが意味をなす場合、機能的に等価な要素には、同じ参照番号が与えられている。
【００４２】
本発明は、複数の照明器具を備えたネットワークを含み、各照明器具は、その動作を制御するためのコントローラ又は制御モジュール、及びサーバを有する。各コントローラは、ＧＳＭ（登録商標）モデム又は低出力無線ネットワーク（ＬＰＲＮ：Ｌｏｗ Ｐｏｗｅｒ  Ｒａｄｉｏ  Ｎｅｔｗｏｒｋ）により接続され、最も良好にサーバに通信することができる方法を決定する。ある好ましい実施形態では、コントローラは、グループコントローラを含む小規模ネットワークを形成することができ、グループコントローラは、小規模ネットワーク内で共有されるアクティブなＧＳＭ（登録商標）モデムを有し、プロバイダＧＳＭ（登録商標）ネットワークの全域でサーバとの通信はこのアクティブなＧＳＭ（登録商標）モデムを通じて行われる。
【００４３】
各コントローラがグループコントローラと通信するので、各小規模ネットワーク内に２つ以上のアクティブなＧＳＭ（登録商標）モデムが存在する必要はなく、コストを低減することができるという利点がある（ＧＳＭ（登録商標）ネットワークコスト）。各コントローラは、ＩＰｖ６プロトコルを使用する６ＬｏＷＡＮを使用するそのグループコントローラに対する通信にＬＰＲＮを使用する。結果として、各小規模ネットワークは、インターネットプロトコル・バージョン６（ＩＰｖ６）のネットワークを含み、該ネットワーク内の通信は、ＩＰｖ６プロトコルのみを使用する。
【００４４】
サーバは、ＩＰｖ６プロトコルを使用しても動作する。しかしながら、各グループコントローラからサーバに情報を送信するためにはＧＳＭ（登録商標）ネットワークが必要とされ、現時点ではこれらはインターネットプロトコル・バージョン４（ＩＰｖ４）のプロトコルを使用して動作している。これは、グループコントローラとサーバの間の通信が、ＧＳＭ（登録商標）ネットワーク上で送信されるためにＩＰｖ６からＩＰｖ４に変換され、次いでサーバで逆方向に再度変換される必要があることを意味する。加えるに、ＧＳＭ（登録商標）ネットワーク上の通信は、暗号化されセキュアであり、この暗号化は、好適な暗号プロトコルに従って提供される。
【００４５】
サーバは、ＧＳＭ（登録商標）ネットワーク上でグループコントローラから受信した暗号化通信を解読することができ、ＧＳＭ（登録商標）ネットワーク上でグループコントローラに送信するために通信を暗号化することもできる。これは、グループコントローラとサーバの間でエンドツーエンド（ｅｎｄ−ｔｏ−ｅｎｄ）暗号化された通信を提供する。
【００４６】
本発明の方法によれば、図１は、グループコントローラ２に割り当てられている多数の制御モジュール１を示す。グループコントローラ２のハードウェアは、制御モジュール１と同一である。しかしながら、それぞれのグループコントローラ２のみが、遠距離接続３を使用してサーバ４と通信することができる。典型的には、これは、現地のセルラーネットワークプロバイダへのアクセスであり、サーバは、これを通じてＩＰ−ＷＡＮに基づいてアクセス可能な状態にとどまることができる。サーバとグループコントローラの間の通信は、例えば、一般的なインターネットプロトコル（ＴＣＰ／ＩＰ）を介して遂行することができる。上記のように、この通信は、ＩＰｖ６プロトコルを使用しており、サーバとグループコントローラの間の通信は、ＧＳＭ（登録商標）ネットワーク上での送信のためのＩＰｖ６とＩＰｖ４の間のトンネリング、ＧＳＭ（登録商標）ネットワーク上でのＩＰｖ４を使用した通信、及びサーバにおけるＩＰｖ４とＩＰｖ６の間のトンネリングを伴う。
【００４７】
ＩＰｖ６とＩＰｖ４の間の変換／トンネリング及び逆方向への再度の変換／トンネリングの必要性はＧＳＭ（登録商標）ネットワークがＩＰｖ４で動作することに起因することが容易に理解されるであろう。しかしながら、将来、ひとたびＧＳＭ（登録商標）ネットワークがＩＰｖ６で動作するようになると、この変換／トンネリングは、もはや必要ではなくなるであろう。
【００４８】
本発明の他の実施形態では、グループコントローラ及びサーバがＧＳＭ（登録商標）ネットワークと同じバージョンのＩＰプロトコルに基づいて動作してもよいことも理解されるであろう。
【００４９】
グループ７内では、制御モジュールは、近距離接続６を介して互いに通信することができる。好ましくは、この通信は、ＩＥＥＥ８０２．１５．４規格、例えばＺｉｇＢｅｅ（登録商標）によるメッシュネットワークに基づくべきである。
【００５０】
個々のグループ７の制御モジュール１、２は、概して互いを見ることができず、したがって互いに干渉することがない。しかしながら、いくつかのグループの通信については、隣接箇所を有する制御モジュールが近距離接続８を使用してセンサデータをグループ間で共有／交換し、又は転送するためのものであることがある。その場合、これを使用して、光量の増大等の行為を開始することができる。あるいは、この通信はまた、そのインターネット上のＩＰアドレスを通じて互いを見ることができる対応するグループコントローラ２を使用してもよい。どの制御モジュールがどの他の制御モジュールと通信することができるか、及びこのモジュールがどのように通信することができるかに関する情報は、サーバ上で定義され、例えばグループ間の近距離通信の場合、特に各制御モジュールの多重化ユニットを用いて遂行される。
【００５１】
更に、本発明によるネットワークを運用するためのサーバは、ＰＡＮを形成する１つ又はいくつかのグループ７の制御モジュール１、２に接続することに加えて、セグメントコントローラ１５（図２）により技術の現状のネットワークを制御することができる。このセグメントコントローラは、いくつかの光源コントローラ９を管理する。セグメントコントローラ１５は、インターフェース１１を介して接続され、これが、サーバ４とのデータの交換を可能にする。いくつかのグループ７に、必要であれば更なるインターフェース１２を介して、接続することに加えて、サーバ４は、別のインターフェース（ＡＰＩ）１３を介して遠距離ネットワークプロバイダ１４とデータを交換することができる。
【００５２】
一般に、データベース１６は、サーバ上で実行され、異なる動作モジュール（クライアント）１７と相互作用する。グラフィカルユーザインターフェース１８は、ユーザが運用及び制御目的のためにサーバ及びそのプログラムにアクセスすることを許可する。
【００５３】
図３は、街灯ネットワークを構成するプロセスを簡潔に説明する。いくつかの制御モジュールの街灯への設置１９後、これらは、段階２０において環境をスキャンすることになるが、このスキャンは、サーバにより開始されるか、又は自動的に開始される。次いで、該いくつかの制御モジュールは、環境情報、及び場合によっては光源特有の情報又は制御モジュール特有の情報をサーバに送信する。これは、第１のプロバイダ、又は必要であればそれぞれの制御モジュールの最初のログイン後にサーバにより決定された現地のネットワークプロバイダのいずれかにより、ローミング条件下で直接行われてもよい。ひとたび環境情報及び他の情報が街灯のそれぞれの制御モジュールにより送信されると、制御モジュールの分析及びグループへの割当２１並びにグループコントローラの決定が行われる。ＰＡＮレベルでは、ネットワークの構成は、例えば、使用中の規格に基づいて動的であってもよい。ひとたびそれぞれのグループコントローラがデータ信号をサーバに送信し、内部グループ通信が上首尾に確立された旨をサーバに通知すると、システムは、正常動作２２に切り替わる。
【００５４】
サーバ上で予め決定された量の更なる制御モジュールが設置された場合、帰還ループ２５に従ってこのプロセスを再度遂行することができる。
【００５５】
図４による本発明の別の設計例によれば、それぞれの制御モジュール２３及び２３’を有するいくつかの光源が、街路２４に沿って配置されている。これらの光源は、サーバ上で予め決定された光源又は制御モジュールのグループＡに属する。グループＡとグループＢの両方は、破線２６又は２７によりマーキングされている。グループＢは、街路２４に交わる交差街路２９に沿って配置された対応する制御モジュール２８又は２８’を有する光源を含む。内側の黒円３１及び３２は、アクティブな制御モジュール、グループコントローラを有する光源を示す。センサＳ１及びＳ２が、それぞれ制御モジュール２３及び２８に割り当てられている。センサとしては、何よりも、レーダーセンサ、赤外線センサ（特に受動型赤外線センサ）、又は街路２４若しくは２９内の誘導ループを検討することができる。これらは、接近する対象物を検出し、その結果、グループ内及びグループ間の両方の制御モジュールは、グループのそれぞれの街灯の光源を状況に適合させる。
【００５６】
例えば、街灯の制御モジュール２３のセンサＳ１が、接近する対象物、例えば自動車を検出し、この情報が、グループ内又はグループの一部内で共有され、グループＡの光強度が、制御モジュール２３及び２３’により増加される。この情報又は接近する自動車についての情報はまた、グループコントローラ２３’を介してグループＢのグループコントローラ２８’に送信される。その後、制御モジュール２８又は２８’の関連する光源、すなわちサーバにより選択された光源の輝度も、調節される。あるいは、センサＳ１を備えた制御モジュール２３は、グループＢのグループコントローラ２８’又はこのグループコントローラに割り当てられた別の制御モジュール２８と直接通信してもよく、これは、この情報がネットワーク内で共有され、グループＢが適宜反応することを意味する。
【００５７】
第１のグループのそれぞれの制御モジュール、したがって対応する街灯の割当は、サーバ上で遂行されてもよく、これらは、隣接するグループのセンサのセンサ情報を提供されることになり、次いで該センサ情報はそれらを通じてグループ間で送信される。特にサーバ上では、この目的のために入力マスクが利用可能である。
【００５８】
上記の方法を実施するために使用することができる本発明による制御モジュールは、光源ヘッド部、例えば街灯の光源ヘッド部上に設置することができる個別のユニットとして設計されることが好ましい（図７を参照されたい）。外設される制御モジュールの重要な構成部品に関する更なる詳細については、図５を参照されたい。この図の分解図は、制御モジュール、頂部ハウジング部３３、及び底部ハウジング部３４を含む。底部ハウジング部は、光源の頂部上に嵌められた基部に、シール３６を用いて固定される。底部ハウジング部は、バヨネット型屈曲接触子３７を通じて基部に接続されている。これらの接触子３７は、ハウジング３４及び中央回路基板ユニット３８の位置内に固定されている。数ある中で、コントローラ３９、近距離通信モジュール及び遠距離通信モジュール、並びに特に地震波を検出するための加速度センサユニット４１が、この回路基板ユニット上に位置する。
【００５９】
この図は、ニアフィールドのＲＦＩＤ応答機の光源特有のデータを記録するために基部内の光源ハウジング側に設置することができるＲＦＩＤ読み取り機を示していない。
【００６０】
図６は、数百メートルの長さを有する複数の街路４２を有する街路ネットワークを示す。それぞれの制御モジュールを有する多数の街灯４３が、これらの街路に沿って配置されている。各々の制御モジュールは、地震波を検出するためのセンサを備えている。これらは、単純な加速度センサであってもよい。あるいは、より洗練された地震計が街灯内にあり組み込んでもよい。ハウジング内の制御モジュール内に直接組み込まれることが好ましい加速度センサから到来するデータは、グループコントローラ及びその遠距離通信モジュールを介してサーバに送信することができる。たとえセンサが比較的不正確であっても、センサにより送信される信号の数の多さゆえに、制御モジュール及びグループコントローラにより送信される地理座標により、サーバ上で地震波を検出し、地震波をそれらの位置及び時間に従って分析することが可能である。これは、Ｐ波及び／又はＳ波の分解能が低い場合でさえ、地震の進行方向の比較的詳細なイメージが作成されることを意味する。地震の震央に関する情報は、この情報から適宜抽出することができる。これは、ネットワークサーバ上又は震源に割り当てられた特別サーバ上のいずれかにおいて遂行することができる。したがって、例えば住民に予め通知された光信号を送出することにより、後続の津波警報又は地震警報として使用されるように信号を制御することができる。これらは、光強度が交互交代又は伝搬する、街路に沿って進む波状の光信号であってもよい。
【００６１】
図７による街灯の地中への組み込み、並びに例えば貧配合コンクリート層４４、基礎配管４５、又は密な充填材料４６を用いての光源の固定設置及び地面との接続のため、制御モジュール内の光源ヘッド部４８内又はその上に位置する加速度センサは、地中を伝搬し、又は柱４９を介して面に沿って伝搬する地震波を容易に記録することができる。代替的又は付加的に、より高い分解能を有する地震計５２が、柱４９の足部に位置し、データ回線（図示せず）を介して制御モジュール２に接続されてもよい。このシステムの顕著な利点は、大きな面上に分布する多数のセンサをほぼ同時に評価でき、図６に破線で描かれている地震波５０を検出するための分析を可能にすることである。同時に、多数の道路ユーザに同時に通知することができる情報システムが提供される。
【図１】
2017533566.tif 000003
【図２】
2017533566.tif 000004
【図３】
2017533566.tif 000005
【図４】
2017533566.tif 000006
【図５】
2017533566.tif 000007
【図６】
2017533566.tif 000008
【図７】
2017533566.tif 000009
【国際調査報告】
2017533566.tif 000010
2017533566.tif 000011
2017533566.tif 000012
2017533566.tif 000013
2017533566.tif 000014